(57)【特許請求の範囲】
【請求項１】
両側縁部に接合部を有する長尺の帯状に形成された樹脂製の長尺プロファイルを、管渠内に連続的に供給するとともに、この管渠内で螺旋状に捲回しながら、この長尺プロファイルの相接する両側縁部相互を接合させ、管渠内に、螺旋管を形成し、
この螺旋管を長手方向に沿って切断して管渠内の底部に広げ、この底部の一側縁部から他側縁部にかけて長尺プロファイルによる補修下地を設置固定し、
この補修下地を管渠内から保持した状態で、管渠内の底部と補修下地との間隙に裏込剤を充填硬化させることを特徴とする管渠内の補修方法。
【請求項２】
両側縁部に接合部を有する長尺の帯状に形成された樹脂製の長尺プロファイルを、管渠内の長手方向に沿って搬入し、長尺プロファイルの一側縁部に他の長尺プロファイルの他側縁部を接合することによって、管渠内の底部の一側縁部から他側縁部にかけて横並びに連結された長尺プロファイルによる補修下地を設置固定し、
この補修下地を管渠内から保持した状態で、管渠内の底部と補修下地との間隙に裏込剤を充填硬化させることを特徴とする管渠内の補修方法。
【発明の詳細な説明】
【０００１】
【発明の属する技術分野】
本発明は、ダムの導水管などの管渠内の底部を補修する方法に関するものである。
【０００２】
【従来の技術】
一般に、ダムの導水管やその他各種の工業用排水管などの管渠内においては、その管渠内を流れる流体の影響で、管渠内の底部だけが、他の部分に比べて老朽化しやすくなる。そこで、この管渠内の底部だけを補修する補修方法が提案されている。
【０００３】
従来より、この管渠内の底部を補修する補修方法としては、図１０に示すように、管渠ａ内の底部ｂに、円弧状に形成された短尺のコンクリート製の板状体ｃを設置固定し、この板状体ｃを、管渠ａ内の底部ｂの補修する距離全体に渡って、管渠ａの長手方向に沿って連続的に設置固定していた。そして、管渠ａ内の底部ｂと板状体ｃとの間隙にモルタルｄを充填硬化させた後、各板状体ｃの両端部に樹脂モルタルｅを充填して板状体ｃの表面と管渠ａの内周面とが滑らかにつながるように仕上げていた。
【０００４】
【発明が解決しようとする課題】
しかし、上記従来の補修方法の場合、コンクリート製の板状体ｃを使用するため、板状体ｃが重く運搬や設置に手間がかかる。
【０００５】
また、短尺の板状体ｃを管渠ａの長手方向に沿って連続的に設置固定するので、大量の板状体ｃを設置固定しなければならず、施工作業が煩わしいといった不都合を生じることとなる。特に、このような管渠ａ内の補修は、１０００ｍ単位の長距離にわたって行われるため、非常に大量の板状体ｃを設置固定しなければならず、施工作業の煩わしさが顕著になる。
【０００６】
さらに、コンクリート製の板状体ｃの場合、板状体ｃの形状が決まっているので、各種口径の管渠ａに対応することが困難となる。したがって、管渠ａ内の底部ｂと板状体ｃとの間隙にモルタルｄを充填硬化させた後、板状体ｄの両端部に樹脂モルタルｅを充填して板状体ｃの表面と管渠ａの内周面とを滑らかにつなげるようにして仕上げなければならないといった不都合を生じていた。
【０００７】
本発明は、係る実情に鑑みてなされたものであって、管渠内の底部を効率良く補修することができる管渠内の補修方法を提供することを目的としている。
【０００８】
【課題を解決するための手段】
上記課題を解決するための本発明の管渠内の補修方法は、両側縁部に接合部を有する長尺の帯状に形成された樹脂製の長尺プロファイルを、管渠内に連続的に供給するとともに、この管渠内で螺旋状に捲回しながら、この長尺プロファイルの相接する両側縁部相互を接合させ、管渠内に、螺旋管を形成し、この螺旋管を長手方向に沿って切断して管渠内の底部に広げ、この底部の一側縁部から他側縁部にかけて長尺プロファイルによる補修下地を設置固定し、この補修下地を管渠内から保持した状態で、管渠内の底部と補修下地との間隙に裏込剤を充填硬化させるものである。
【０００９】
また、上記課題を解決するための本発明の管渠内の補修方法は、両側縁部に接合部を有する長尺の帯状に形成された樹脂製の長尺プロファイルを、管渠内の長手方向に沿って搬入し、長尺プロファイルの一側縁部に他の長尺プロファイルの他側縁部を接合することによって、管渠内の底部の一側縁部から他側縁部にかけて横並びに連結された長尺プロファイルによる補修下地を設置固定し、この補修下地を管渠内から保持した状態で、管渠内の底部と補修下地との間隙に裏込剤を充填硬化させるものである。
【００１０】
【発明の実施の形態】
以下、本発明の実施の形態を図面を参照して説明する。
図１ないし図４は管渠１内の補修方法の概略を示し、図５は同補修方法に使用される長尺プロファイル２を示している。
【００１１】
すなわち、この補修方法は、管渠１内の底部１０に、長尺プロファイルからなる補修下地２０を設置固定し、この補修下地２０と管渠１内の底部１０との間隙に、裏込剤３を充填硬化させるものである。
【００１２】
長尺プロファイル２は、図５に示すように、長尺の帯状に形成され、その外面には、長手方向に沿って複数のリブ２１が突設されている。また、長尺プロファイル２の一側縁部には、長手方向に沿って、上記リブ２１よりも突設高さが低くなされた接合リブ２２が突設されている。一方、長尺プロファイル２の他側縁部のリブ２１の内面には、長手方向に沿って、上記接合リブ２２が接合される接合溝２３が形成されている。
【００１３】
この長尺プロファイル２は、螺旋状に捲回されながら管渠１内に供給される。この捲回状態で、製管装置（図示省略）によって、相接する接合リブ２２と接合溝２３とが接合され、図１に示すように、長尺プロファイル２が螺旋管２ａに形成される。この螺旋管２ａは、外周長さが管渠１内の底部１０の幅と一致するように設定した直径で、補修しようとする管渠１内の長さ全体にわたって形成する。
【００１４】
螺旋管２ａの製管後、図２に示すように、この螺旋管２ａの上端部を長手方向に沿って切断し、管渠１内の底部１０全体に広げて補修下地２０を形成する。この補修下地２０は、両側部にアングル部材４を当接し、アンカーボルト５によって管渠１内に固定される。
【００１５】
固定した補修下地２０は、図３に示すように、管渠１の内側からジャッキなどの保持装置６を利用して抑えた状態にする。そして、補修下地２０と管渠１内の底部１０との間隙に裏込剤３を充填硬化させる。この際、裏込剤３の充填圧で補修下地２０が管渠１の内側に盛り上がろうとするのを、保持装置６によって防止することができる。また、これを利用して保持装置６による補修下地２０の抑え具合を緩く調整することで、管渠１の内側に補修下地２０が若干盛り上がるようにすることもできる。したがって、場所によって裏込剤３の充填量を変えて勾配調整をすることができる。特に、図６に示すように、流体の流れＡを考慮して下り勾配を持たせて施工している導水管などの管渠１の場合、このような樹脂製の長尺プロファイル２からなる補修下地２０によって管渠１内の底部１０を補修すると、流体の抵抗が小さくなって以前よりも流れＡが速くなってしまうこととなる。そのため、図６に示すように、裏込剤３の充填量を変えて下り勾配が緩やかになるように調整することで、流量を考慮した補修を行うことができる。もちろん、裏込剤３の充填量を変えて下り勾配がきつくなるように調整することもできる。
【００１６】
硬化後、図４に示すように、保持装置６を取り除いて作業を完了する。
この補修方法によると、樹脂製の長尺フロファイル２によって補修下地２０を構成するため、割れなどを心配することなく、管渠１内に容易に搬入することができる。
【００１７】
また、この長尺プロファイル２によって形成した螺旋管２ａを切断して広げて補修下地２０を構成するため、連続的に効率良く補修下地２０を形成できる。また、管渠１内の口径が変化しても、長尺プロファイル２によって形成する螺旋管２ａの口径を変更することで、管渠１内の底部１０に合った補修下地２０を形成することかできる。
【００１８】
さらに、補修下地２０は、樹脂製であるため、管渠１内の底部１０に沿わせることができるとともに、容易に切断して寸法調整などを行うこともできる。
なお、本実施の形態では、長尺プロファイル２を螺旋管２ａに形成した後、これを切り開いて補修下地２０としているが、図７ないし図９に示すように、長尺プロファイル２を周方向に横並びに連結することによって補修下地２０を形成して補修を行ってもよい。
【００１９】
すなわち、この補修方法を実施するには、まず、長尺プロファイル２を、補修しようとする管渠１の長さに相当するように切断し、管渠１内の長手方向に沿って搬入する。図７に示すように、この搬入した長尺プロファイル２の接合溝２３がある側の端縁と、管渠１内の底部１０の一側縁部とに、アングル部材４を当接し、アンカーボルト５で固定する。この固定した長尺プロファイル２の接合リブ２２を、他の長尺プロファイル２の接合溝２３に接合する要領で、管渠１内の底部１０の一側縁部から他側縁部にかけて、長尺プロファイル２を横並びに連結する。この連結状態で、管渠１内の底部１０の他側縁部に位置する長尺プロファイル２は、この他側縁部にぴったりと収まるように、長手方向に沿って切断して補修下地２０とする。そして、図８に示すように、この他側縁部に位置する長尺プロファイル２と管渠１の底部１０の他側縁部とに、アングル部材４を当接し、アンカーボルト５で固定する。
【００２０】
以後は、上述した場合と同様に、補修下地２０を、管渠１の内側から保持装置６によって保持した状態で、補修下地２０と管渠１内の底部１０との間隙に裏込剤３を充填硬化させる。図９は、補修完了状態を示している。
【００２１】
また、本実施の形態では、断面馬蹄形状の管渠１について述べているが、この管渠１の断面形状としては、断面馬蹄形状のものに限定されるものではなく、円形、四角形、楕円形などの各種形状のものであっても良い。
【００２２】
【発明の効果】
以上述べたように、請求項１記載の本発明によると、樹脂製の長尺プロファイルを使用するため、従来のコンクリート製の板状体に比べて軽く、割れないので取扱上細心の注意を払わずに容易に搬入することができる。
【００２３】
また、長尺プロファイルによって管渠内に螺旋管を形成してから、この螺旋管を長手方向に沿って切断して補修下地を構成するため、大量の板状体を設置固定るす従来の方法に比べて容易に施工することができる。また、管渠内の口径が変化しても、長尺プロファイルによって形成する螺旋管の口径を変更して対応することができるとともに、長尺プロファイル自身が樹脂製であるため、口径に沿わせることができる。
【００２４】
さらに、管渠内の底部の一側縁部から他側縁部にかけて設置固定した補修下地を、管渠内から保持した状態で、管渠内の底部と補修下地との間隙に裏込剤を充填硬化させるので、管渠内からの補修下地の保持具合を調整することで、管渠内の底部と補修下地との間隙に充填される裏込剤による補修下地の盛り上がり具合が変わることとなり、これによって管渠内の勾配を調整することができる。
【００２５】
さらに、リブ付きの長尺プロファイルを使用した場合には、このリブが裏込剤との関係でアンカー効果を有することとなるので、長尺プロファイルと管渠とを一体化して優れた施工強度を得ることができる。
【００２６】
また、請求項２記載の本発明によると、樹脂製の長尺プロファイルを使用するため、従来のコンクリート製の板状体に比べて軽く、割れないので取扱上細心の注意を払わずに容易に搬入することができる。
【００２７】
また、管渠の長手方向に沿って搬入した長尺プロファイルを、管渠内の底部の一側縁部から他側縁部にかけて横並びに連結して補修下地を構成しているため、大量の板状体を設置固定する従来の方法に比べて容易に施工することができる。また、管渠内の口径が変化しても接続する長尺プロファイルの数を変更して対応することができるとともに、長尺プロファイル自身が樹脂製であるため、口径に沿わせることができる。
【００２８】
さらに、管渠内の底部の一側縁部から他側縁部にかけて設置固定した補修下地を、管渠内から保持した状態で、管渠内の底部と補修下地との間隙に裏込剤を充填硬化させるので、管渠内からの補修下地の保持具合を調整することで、管渠内の底部と補修下地との間隙に充填される裏込剤による補修下地の盛り上がり具合が変わることとなり、これによって管渠内の勾配を調整することができる。
【００２９】
さらに、リブ付きの長尺プロファイルを使用した場合には、このリブが裏込剤との関係でアンカー効果を有することとなるので、長尺プロファイルと管渠とを一体化して優れた施工強度を得ることができる。
【図面の簡単な説明】
【図１】（ａ）および（ｂ）は、管渠内の補修方法の一工程であって、管渠内に螺旋管を形成した状態を示す水平断面図および垂直断面図である。
【図２】（ａ）および（ｂ）は、管渠内の補修方法の一工程であって、管渠内の底部に補修下地を固定した状態を示す水平断面図および垂直断面図である。
【図３】管渠内の補修方法の一工程であって、補修下地を保持した状態を示す垂直断面図である。
【図４】管渠内の補修方法による補修完了状態を示す垂直断面図である。
【図５】（ａ）および（ｂ）は、管渠内の補修方法に使用される長尺プロファイルを示す部分斜視図および長尺プロファイルの接合状態を示す断面図である。
【図６】管渠内の補修方法による補修の一例を示す垂直側断面図である。
【図７】（ａ）および（ｂ）は、管渠内の補修方法の他の実施の形態を示す一工程であって、管渠内の底部の一側縁部から長尺プロファイルを接続して行く状態を示す水平断面図および垂直断面図である。
【図８】（ａ）および（ｂ）は、管渠内の補修方法の他の実施の形態を示す一工程であって、管渠内の底部に補修下地を形成した状態を示す水平断面図および垂直断面図である。
【図９】管渠内の補修方法の他の実施の形態による補修完了状態を示す垂直断面図である。
【図１０】（ａ）および（ｂ）は、従来の管渠内の補修方法の補修完了状態を示す斜視図および部分拡大断面図である。
【符号の説明】
１  管渠
１０  底部
２  長尺プロファイル
２２  接合リブ（接合部）
２３  接合溝（接合部）
２ａ  螺旋管
２０  補修下地
３  裏込剤
【図１】
0003730749.tif 000002
【図２】
0003730749.tif 000003
【図３】
0003730749.tif 000004
【図４】
0003730749.tif 000005
【図５】
0003730749.tif 000006
【図６】
0003730749.tif 000007
【図７】
0003730749.tif 000008
【図８】
0003730749.tif 000009
【図９】
0003730749.tif 000010
【図１０】
0003730749.tif 000011